(57)【要約】【課題】帆立貝殻粉末とマイナスイオン発生物質の両方を含み、帆立貝殻粉末の齎す諸機能とマイナスイオン発生物質の齎す人体に有益な諸効果の両方を有し、常温で常時マイナスイオンを発生することのできるマイナスイオン塗装用粉末を開発する。【解決手段】帆立貝の貝殻を粉砕焼成し粒径１０μｍ〜５０μｍとした帆立貝殻粉末をバインダーとし、該バインダーにマイナスイオンを発生する鉱石を主成分とした粒径０．１μｍ〜５０μｍのマイナスイオン粉末を全体の３重量％〜１０重量％混合してなることを特徴とするマイナスイオン塗装用粉末を提供する。【選択図】        図１
2005213283.tif 000002
【特許請求の範囲】
【請求項１】
内装用の壁面材や天井材等に塗布される塗装用粉末であって、帆立貝の殻を粉砕して焼成し粒径１０μｍ〜５０μｍの粉末状とした帆立貝殻粉末をバインダーとし、該バインダーにマイナスイオンを発生する鉱石を主成分とした粒径０．１μｍ〜５０μｍのマイナスイオン粉末を全体の３重量％〜１０重量％混合してなることを特徴とするマイナスイオン塗装用粉末。
【請求項２】
上記マイナスイオン粉末が、希土鉱石♯５１５の粉末を主成分とし、該希土鉱石♯５１５の粉末にトルマリンの粉末とロウ石の粉末を混合してなることを特徴とする請求項１に記載のマイナスイオン塗装用粉末。
【請求項３】
上記マイナスイオン粉末中に含まれる成分のうち、希土鉱石♯５１５の粉末が５０重量％〜８０重量％、トルマリンの粉末が２０重量％〜４０重量％、ロウ石の粉末が１５重量％〜３０重量％であることを特徴とする請求項２に記載のマイナスイオン塗装用粉末。
【発明の詳細な説明】
【技術分野】
【０００１】
本発明は、内装用の壁面材や天井材等に塗布される、マイナスイオンを発生する塗装用粉末に関するものであり、さらに詳しくは、帆立貝の殻を粉砕して焼成し粒径１０μｍ〜５０μｍの粉末状とした帆立貝殻粉末をバインダーとし、該バインダーにマイナスイオンを発生する鉱石を主成分とした粒径０．１μｍ〜５０μｍのマイナスイオン粉末を全体の３重量％〜１０重量％混合してなることを特徴とするマイナスイオン塗装用粉末に関するものである。
【背景技術】
【０００２】
従来、帆立貝殻を主成分とする内装用の塗料は、数多く開発されてきている。帆立貝は、わが国では東北地方、北海道地方で主に養殖されており、廃棄される帆立貝殻は毎年膨大な量となり、産業廃棄物として社会問題ともなってきた。したがって、この帆立貝殻の有効利用の方策の一つの方法として注目を浴びているのが、内装用の壁面材や天井材等に塗布する塗装用粉末としての利用方法であり、代表的なものを下記特許文献１、２に掲げておく。
【０００３】
帆立貝殻は、そのほとんどが炭酸カルシウムからなっており、粉砕して高温で焼成し酸化カルシウムの微粒粉末状とすることにより、以下のような機能を有することが確認されている（下記の非特許文献１の６ページ以下に詳しく記載）。
除菌・抗菌機能………黄色ブドウ球菌、大腸菌などに対して
化学物質軽減機能……ホルムアルデヒド、ＶＯＣ（揮発性有機化合物）に対して
化学物質分解機能……ポリウレタンに対して
その他、防虫、消臭機能など
これらの効果はいずれも住宅の環境改善効果として重要なものであるが、近年特に、いわゆる「シックハウス症候群」（住宅に起因する健康被害全般）と呼ばれる症状が問題視されるにあたり、その一因とされる建材や接着剤、塗料などに含まれる化学物質を軽減する効果が注目され、上記諸機能を有する帆立貝殻粉末を主体とする内装用塗料が脚光を浴びるに至ったのである（下記の非特許文献１の１３ページ、及び下記非特許文献２に詳しく記載）。
【０００４】
一方、マイナスイオンが人体に与える良好な効果も、近年、様々な臨床例を通じて次第に明らかになってきた。これらの効果は、下記非特許文献３の２６５ページ以下に、多くの臨床例をあげて詳しく解説されているが、そのうち主なものを挙げてみると以下のとおりである。
生理学的効果として……異常状態にある生体機能を正常に復帰させ、生理的状態を保持する効果、血圧を低下させる効果、心拍数を減少させる効果、頭痛、眼痛、傷の痛み等の痛みやめまい等の症状を和らげる効果
呼吸に関する効果として……吸入する空気から、塵、花粉、その他の物質を取り除き、肺に侵入するのを防ぐ効果、気管支喘息を改善する効果
血液に関する効果として……血液のｐＨをアルカリ性側に増大させる効果
脳への効果として……脳の活動を安定させて覚醒度を高め、作業効率を高める効果
記憶力、注意力を高める効果
癌との関連の効果として……癌細胞のマイナスの電位を増大させることで正常な細胞へと修復する効果
情動に与える効果として……憂鬱感、緊張感を軽減し、安らぎを与える効果
セロトニンに関する効果……神経伝達物質であるセロトニンによって引き起こされるセロトニンいらつき症候群（偏頭痛、のぼせ、いらつき、不眠、心窩部痛、呼吸困難、緊張感、気管支症状の悪化、不安等）をやわらげる効果
その他……疲労からの回復時間を短縮する効果、持久力や平衡能力を増加させる効果、視覚反応時間を短縮させる効果
【０００５】
空気中には、正または負に帯電している微粒子が存在するが、このうち、正に帯電しているものをプラスイオン、負に帯電しているものをマイナスイオンと呼称する（下記非特許文献３の１００ページ参照）。マイナスイオンには、分子数が１０〜３０個くらいの「小イオン」、質量が小イオンの１０００倍程度の「大イオン」、両者の中間の「中イオン」があるとされるが、このうち、現在、人体に良好な結果を与えているとされるマイナスイオンは「小イオン」であり、都会の近くで煤煙の影響等により空気が汚染されてくると、大イオンの割合が増加するとされている。したがって、以下の記述で、単に「マイナスイオン」と記載してある場合には、この「小イオン」のことを意味するものである。
【０００６】
したがって、人体に良好な結果を与える環境を造るには、空気中の小イオンの数を増加させればよいということになる。空気中の小イオンの数を増加させるには、空気中で高電圧の放電を行う方法、紫外線を用いる方法、水を細かく砕く方法などいろいろな方法があるが、動力を用いずに常時安定的に小イオンを発生させる方法として、マイナスイオン発生物質を用いる方法があり、この方法が最も簡便で応用範囲が広いので、現在様々な方面に用いられている。これらのマイナスイオン発生物質を含有する塗料は様々なものが開発されているが、そのうちのいくつかを、下記に特許文献３〜６として挙げておく。
【０００７】
マイナスイオン発生物質としては、今では様々な物質が知られているが、多く用いられるのはモナザイト（モナズ石）やトルマリンである。しかしながら、モナザイトは酸化トリウムの含有量が多く、８００ベクレル（Ｂｑ／ｇ）以上のγ線を放射する放射性物質であって、これは、安全上問題がないとされるγ線の基準値の３７０ベクレル（Ｂｑ／ｇ）をはるかに超えている。したがって、モナザイトは、その使用にあたっては、事前に文部科学省の原子力安全課に届出が必要な放射性物質とされ、取り扱いや加工にも慎重な配慮が必要であり、簡便に用いるというわけにはいかない。これに対してトルマリンの方は、放射線量が基準値以下で、安全に使用できるので、多方面に使用されており、今やマイナスイオン発生物質の代名詞ともなっている感がある。しかし、トルマリンの欠点は、自然状態においてはマイナスイオンの発生量が非常に少ないことで、したがって、マイナスイオンによる人体への諸効果もごく弱いものに留まるということになる。この点は、下記特許文献５の従来の技術の項に詳細に説明されているとおりである。
【０００８】
これらに対して、希土鉱石♯５１５というマイナスイオン発生物質は、自然状態においてトルマリンよりはるかに大量のマイナスイオンを発生するにもかかわらずγ線の放射量が基準値の３７０ベクレル（Ｂｑ／ｇ）以下であり、事前に文部科学省の原子力安全課に届出も必要なく、安全に使用できる強力なマイナスイオン発生物質である。ただ、この物質は、他の物質と混合可能な程度の微粒粉に粉砕するのが難しく、これまであまり用いられてこなかった。なお、この希土鉱石♯５１５という物質は、セリウム、ランタン、ネオジウム、プロメシウム（プロメチウムという表記もある）を主体として各種希土類元素を混合してパウダー状態としたものである。
【０００９】
叙上のように、帆立貝殻粉末もマイナスイオン発生物質も人体に良好な効果を与え得る物質であるが、特に建築の内装用塗料の分野に限ると、この両者を含んだものは見当たらない。帆立貝殻粉末とマイナスイオン発生物質を共に含むものとしては下記特許文献７、８がそれに該当するが、特許文献７は抗菌剤および抗菌砂であり、特許文献８は殺菌用セラミックスである。
【特許文献１】特開２００１―２０５０７９
【特許文献２】特開２００３―７３６２６
【特許文献３】特開２００２―２８３４９１
【特許文献４】特開２００２―３１７１２０
【特許文献５】特開２００３―１９０２９９
【特許文献６】特開２００３―３４２５２９
【特許文献７】特開２００１―１９９８２３
【特許文献８】特願２０００―５９０４９０
【非特許文献１】『産学共同研究中間報告書  ホタテ貝殻のパワー……ホタテ貝殻のバイオニックデザイン』、平成１２年１０月、産学共同研究代表者  八戸工業大学エネルギー工学科  教授  小山信次
【非特許文献２】『ホタテックス２１  試験結果報告書』、平成１３年７月、環境技術コンサルティング、株式会社  オアゾ、報告者  環境計量士  阿部修久
【非特許文献３】『空気マイナスイオン応用事典』、２００２年４月１０日、琉子友男・佐々木久夫編著、日本住宅環境医学会監修、佐々木久夫発行、株式会社  人間と歴史社
【発明の開示】
【発明が解決しようとする課題】
【００１０】
叙上のように、帆立貝殻粉末とマイナスイオン発生物質の両者を含んだ内装用塗料というのは存在せず、両者を含んだものとしては、内装用塗料ではないが、上記特許文献７の抗菌剤および抗菌砂及び上記特許文献８の殺菌用セラミックスがある。したがって、これらを内装用塗料に応用することも考えられるが、上記特許文献７の抗菌剤および抗菌砂はマイナスイオン発生物質として効果の微弱なトルマリンを用いている点に問題がある。また、特許文献８の殺菌用セラミックスに用いられているマイナスイオン発生物質はゼオライトであるが、この物質は抗菌作用が長時間持続しにくく、また、ペットや幼児が口にして体内に摂取すると毒性を示す危険性があるとされる。
【００１１】
叙上のように、帆立貝殻粉末は、除菌・抗菌機能、化学物質軽減機能、
化学物質分解機能、その他、防虫、消臭機能を有しており、内装用塗料としては理想的な性質を持ったものといわねばならない。一方、マイナスイオンも叙上のように人体に良好な効果を各種有しており、十分に、かつ持続的にマイナスイオンを発生させる物質を内装用塗料中に含有させることにより、室内にいる人においてこれら諸効果を期待することができる。また、マイナスイオンは帆立貝殻粉末の有する上記諸機能の減衰を防止する効果もあるとされている。したがって、帆立貝殻粉末の有する上記諸機能とマイナスイオンの有する上記諸機能を合せ有することのできる安全で使いやすい内装用塗料の開発を本発明の課題とした。
【課題を解決するための手段】
【００１２】
本発明は上記課題を解決するためになされたものであって、下記の解決手段を提供するものである。
＜解決手段１＞
内装用の壁面材や天井材等に塗布される塗装用粉末であって、帆立貝の殻を粉砕して焼成し粒径１０μｍ〜５０μｍの粉末状とした帆立貝殻粉末をバインダーとし、該バインダーにマイナスイオンを発生する鉱石を主成分とした粒径０．１μｍ〜５０μｍのマイナスイオン粉末を全体の３重量％〜１０重量％混合してなることを特徴とするマイナスイオン塗装用粉末。
＜解決手段２＞
上記マイナスイオン粉末が、希土鉱石♯５１５の粉末を主成分とし、該希土鉱石♯５１５の粉末にトルマリンの粉末とロウ石の粉末を混合してなることを特徴とする解決手段１に記載のマイナスイオン塗装用粉末。
＜解決手段３＞
上記マイナスイオン粉末中に含まれる成分のうち、希土鉱石♯５１５の粉末が５０重量％〜８０重量％、トルマリンの粉末が２０重量％〜４０重量％、ロウ石の粉末が１５重量％〜３０重量％であることを特徴とする解決手段２に記載のマイナスイオン塗装用粉末。
【発明の効果】
【００１３】
本発明のマイナスイオン塗装用粉末は、帆立貝の殻を粉砕して焼成し粒径１０μｍ〜５０μｍの粉末状とした帆立貝殻粉末を基体粉末とし、該基体粉末にマイナスイオンを発生する鉱石を主成分とした粒径０．１μｍ〜５０μｍのマイナスイオン粉末を全体の３重量％〜１０重量％混合してなるものであるから、帆立貝殻粉末を主体として構成された塗装用粉末の有するすべての機能、すなわち除菌・抗菌機能、化学物質軽減機能、化学物質分解機能、その他、防虫、消臭機能のすべてを有しており、さらに上記マイナスイオン粉末から生成されるマイナスイオンが、空気中の一酸化炭素あるいは二酸化炭素が上記帆立貝殻粉末に吸着されて上記帆立貝殻粉末が酸化される作用を防止するので、帆立貝殻粉末のみを用いた場合より除菌・抗菌機能、化学物質軽減機能、化学物質分解機能、その他、防虫、消臭機能のすべてにおいてその効果を長期間持続させることができる。
【００１４】
本発明のマイナスイオン塗装用粉末は、帆立貝の殻を粉砕して焼成し粒径１０μｍ〜５０μｍの粉末状とした帆立貝殻粉末をバインダーとし、該バインダーにマイナスイオンを発生する鉱石を主成分とした粒径０．１μｍ〜５０μｍのマイナスイオン粉末を全体の３重量％〜１０重量％混合してなるものであるから、常温にてマイナスイオンを常に充分に発生しており、マイナスイオンが人体に与える良好な諸効果、すなわち、下記の諸効果を顕著に奏することができる。
生理学的効果として……異常状態にある生体機能を正常に復帰させ、生理的状態を保持する効果、血圧を低下させる効果、心拍数を減少させる効果、頭痛、眼痛、傷の痛み等の痛みやめまい等の症状を和らげる効果
呼吸に関する効果として……吸入する空気から、塵、花粉、その他の物質を取り除き、肺に侵入するのを防ぐ効果、気管支喘息を改善する効果
血液に関する効果として……血液のｐＨをアルカリ性側に増大させる効果
脳への効果として……脳の活動を安定させて覚醒度を高め、作業効率を高める効果
記憶力、注意力を高める効果
癌との関連の効果として……癌細胞のマイナスの電位を増大させることで正常な細胞へと修復する効果
情動に与える効果として……憂鬱感、緊張感を軽減し、安らぎを与える効果
セロトニンに関する効果……神経伝達物質であるセロトニンによって引き起こされるセロトニンいらつき症候群（偏頭痛、のぼせ、いらつき、不眠、心窩部痛、呼吸困難、緊張感、気管支症状の悪化、不安等）をやわらげる効果
その他……疲労からの回復時間を短縮する効果、持久力や平衡能力を増加させる効果、視覚反応時間を短縮させる効果
【００１５】
本発明のマイナスイオン塗装用粉末の上記諸機能、諸効果を、建造物の内装用塗料としての効果に的を絞ってまとめてみると、以下のとおりである。
化学物質低減効果……建材や接着剤等から室内に放散される化学物質を吸着分解して低減させる。特に、シックハウス症候群を引き起こす主要原因物質とされるホルムアルデヒドやＶＯＣ（トルエン、エチルベンゼン、キシレン、パラジクロルベンゼン等）を低減させる効果において、優れている。また、二酸化炭素等も減少させる効果がある。
マイナスイオン常時発生効果……動力を用いず、マイナスイオン発生物質（希土鉱石♯５１５とトルマリン）によりマイナスイオンを発生させるので、マイナスイオンを常温で常時発生させることができる。したがって、常時マイナスイオンの齎す諸効果を発揮することができる。また、人体に有害なプラスイオンの除去にも効果がある。
消臭効果……帆立貝殻粉末とマイナスイオンの相乗効果によって強力な消臭効果を齎す。ペットの匂いやタバコの匂い、各種生活臭の消臭に多大な効果がある。
湿度調節効果……室内の湿度が過剰になると吸湿作用を、不足すれば放湿作用を行い、室内の湿度を調整するとともに結露を防止する。
抗菌効果……帆立貝殻粉末とマイナスイオンの相乗効果によって高い抗菌性を保ち、室内のカビやダニの発生を防止する。
防火効果……帆立貝殻粉末もマイナスイオン粉末も無機物であるので、防火効果がある。本発明の実施例は、防火性能試験に合格している。
【００１６】
本発明のマイナスイオン塗装用粉末は、マイナスイオンを発生する成分である上記マイナスイオン粉末において、大量にマイナスイオンを発生する希土鉱石♯５１５を主成分としているので、マイナスイオンの発生量を、例えばトルマリン等を主成分とした場合よりもはるかに高めることができ、マイナスイオンによる上記諸効果をより顕著ならしめることが可能である。
【００１７】
本発明のマイナスイオン塗装用粉末は、マイナスイオンを発生する成分である上記マイナスイオン粉末において、大量のマイナスイオンを発生するにもかかわらずγ線の放射量が基準値の３７０ベクレル（Ｂｑ／ｇ）以下である希土鉱石♯５１５を主成分としているので、安全性が高く、かつ希土鉱石♯５１５はモナザイトのように事前に文部科学省の原子力安全課に届出が必要な放射性物質ではないので取り扱いも極めて簡便である。
【００１８】
本発明のマイナスイオン塗装用粉末は、ロウ石の粉末を含んでいるので、全体のきめを細かくすることができ、また、壁面材に塗布する塗料として必要な白色度を高くすることができるものである。
【００１９】
本発明のマイナスイオン塗装用粉末は、マイナスイオンを発生する成分として、その主成分にマイナスイオン発生量の多い希土鉱石♯５１５を用い、補助成分としてマイナスイオン発生量の少ないトルマリンを用いている。このため、両者の成分比を変化させることにより、簡単にマイナスイオン発生量をコントロールすることが可能である。
【発明を実施するための最良の形態】
【００２０】
発明を実施するための最良の形態を、以下に図面を参照しながら詳細に説明する。
【実施例１】
【００２１】
次に、本発明を、以下に示す実施の形態に基いて詳細に説明する。まず、バインダーとなる帆立貝殻粉末を製造する工程は第１図の工程Ｓ１〜工程Ｓ３に示すとおりである。工程Ｓ１にて帆立貝の貝殻を粉砕し、工程Ｓ２にてこれを焼成する。これにより、一部が酸化カルシウムとなったカルシウムを主体とする帆立貝殻粉末を得ることができる（工程Ｓ３）。該帆立貝殻粉末の粒径は、１０μｍ〜５０μｍの間とする。この数値限定の理由は、粒径が１０μｍを下回ると粉砕の際の加工手間が大きくなりすぎて実用的ではなくなり、粒径が５０μｍを上回ると粒径が大となりすぎてバインダーの役割を果たさず、また塗料としての使用に弊害が出てくるからである。
なお、吹きつけ塗料として使用する際には、帆立貝殻粉末の粒径をできるだけ細かくして用いる。
【００２２】
次に、マイナスイオン粉末の製造工程は、図１の工程Ｓ４〜工程Ｓ８に示すとおりである。まず、工程Ｓ４にてトルマリンを粒径６μｍ〜５０μｍに粉砕する。この数値限定は、粒径が６μｍを下回ると粉砕の際の加工手間が大きくなりすぎて実用的ではなくなり、粒径が５０μｍを上回ると粒径が大となりすぎて塗料の平滑感を失うという理由による。また、工程Ｓ５にてロウ石を粒径６μｍ〜５０μｍに粉砕する。この数値限定の理由も、トルマリンの粒径の数値限定の理由と同一である。さらに、工程Ｓ６にて希土鉱石♯５１５を粒径０．１μｍ〜６μｍに粉砕する。希土鉱石♯５１５は粒径が細かくなればなるほど他の成分と混合しやすいので、最大粒径で６μｍを限度とする。希土鉱石♯５１５は、粒径１．０μｍまでは通常のミル（図示せず）にて粉砕可能（ミルで粉砕したものを焼結し、また粉砕する工程を繰り返す）であるが、粒径１．０μｍを下回る粒径を得る場合には、液体中でミル（図示せず）にかけて粉砕する。
【００２３】
このようにして、トルマリンとロウ石と希土鉱石♯５１５の粉末が得られたら、この３者を混合して（工程Ｓ７）マイナスイオン粉末を得る（工程Ｓ８）。混合比は、希土鉱石♯５１５粉末が５０重量％〜８０重量％、トルマリン粉末が２０重量％〜４０重量％、ロウ石粉末が１５重量％〜３０重量％とする。希土鉱石♯５１５粉末の数値限定の理由は、希土鉱石♯５１５粉末が５０重量％を下回るとマイナスイオンの発生量が充分に得られず、８０重量％を上回ると逆にマイナスイオンの発生量が多くなりすぎるからである。すなわち、マイナスイオン粉末全体のマイナスイオンの発生量を、主として希土鉱石♯５１５粉末の割合を調整することにより調整しているということになる。これに対し、トルマリン粉末はマイナスイオンの発生量を微調整する役割で、希土鉱石♯５１５粉末が多くなったときのトルマリン粉末の量の下限が２０重量％、希土鉱石♯５１５粉末が少なくなったときのトルマリン粉末の量の上限が４０重量％という意味である。また、ロウ石粉末の数値限定の理由は、ロウ石粉末が１５重量％を下回るとマイナスイオン粉末全体の平滑感が失われ、かつバインダーである帆立貝殻粉末と混合した場合の白色感が失われるということであり、ロウ石粉末が３０重量％を上回ると、相対的に希土鉱石♯５１５粉末及びトルマリン粉末の量が少なくなって、マイナスイオンの発生量に影響が出るという理由による。このマイナスイオン粉末の粒径は、叙上より、０．１μｍ〜５０μｍとなるが、その平均粒径は、希土鉱石♯５１５粉末を５０重量％、トルマリン粉末を２０重量％、ロウ石粉末を３０重量％とした場合に、２．６２μｍであった。愛知県陶磁器工業協同組合における粒度質料の分析結果を表１、図２に示す。図２のグラフを見ると、この試料のマイナスイオン粉末の粒径は、１．０μｍ〜１０μｍの間に集中しているが、このような粒度質料分布となった場合に、塗料用としては最も使い易いマイナスイオン粉末が得られるものである。
【００２４】
【表１】
2005213283.tif 000003
【００２５】
次に、工程Ｓ３で得られた帆立貝殻粉末と工程Ｓ８で得られたマイナスイオン粉末を混合して（工程Ｓ９）最終成果品であるマイナスイオン塗装用粉末を得る（工程Ｓ１０）。この際の混合比は、バインダーである帆立貝殻粉末を９０重量％〜９７重量％、マイナスイオン粉末を３重量％〜１０重量％とする。この数値限定の理由は、マイナスイオン粉末が３重量％を下回るとマイナスイオンの発生量が少なくなりすぎ、また、ロウ石を混合した効果があまり得られなくなるということであり、マイナスイオン粉末が１０重量％を上回ると逆にマイナスイオンの発生量が多くなりすぎ、また帆立貝殻粉末のバインダーとしての効果が薄れてくるということによる。特に、マイナスイオン粉末の下限の３重量％という数字には重要な意味があり、この割合で得られる最終成果品であるマイナスイオン塗装用粉末を水に溶いて壁面に通常の厚さで塗布したとき、空気１ｃｍ３あたりのマイナスイオン個数は略３００個となるが、これは、普通の住宅の室内の空気１ｃｍ３あたりのマイナスイオン個数の２０〜３０倍であり、マイナスイオンの前期諸効果を顕著に得るための一種の基準量と見られているからである。なお、バインダーである帆立貝殻粉末の割合は、当然１００重量％からマイナスイオン粉末の割合を差し引いたものとなる。また、適宜、顔料や凝結剤を混合し得るのは当然のことであり、その場合には顔料や凝結剤の量だけバインダーである帆立貝殻粉末の量を減らすこととなる。なお、その場合には、バインダーの帆立貝殻粉末が自然素材であるので、顔料や凝結剤も自然素材を用いるのが望ましい。
【産業上の利用可能性】
【００２６】
本発明のマイナスイオン塗装用粉末は、通常の住宅の室内塗装用はもちろん、病院や学校、工場、公共施設等あらゆる建造物の室内塗装用として幅広く用いることが可能であり、建造物の内部にいる人に、前記の帆立貝殻粉末の諸機能及びマイナスイオンの諸効果を齎すことができる。さらには、吸気ダクトや排気ダクトなど建造物や諸施設の設備関連の内面コート用塗料として用いても効果があり、また、印刷用塗料として衣類や壁紙に印刷をすることもできる。さらに、各種浄水機等の水処理機器の内面コート剤として用いれば水質浄化に卓越した効果があり、スプレー用塗料（コーティング剤）としても用いることが可能である。
【図面の簡単な説明】
【００２７】
【図１】本発明の実施例の工程図である。
【図２】本発明の実施例のマイナスイオン粉末の粒度質料の計測結果を表す参考図である。
【符号の説明】
【００２８】
Ｓ１    工程
Ｓ２    工程
Ｓ３    工程
Ｓ４    工程
Ｓ５    工程
Ｓ６    工程
Ｓ７    工程
Ｓ８    工程
Ｓ９    工程
Ｓ１０  工程
【図１】
2005213283.tif 000004
【図２】
2005213283.tif 000005